(57)【要約】【課題】フレキシブル配線基板を小さくすることを目的とする。【解決手段】液晶表示装置は、液晶表示パネル１０の端部に電気的に接続される接続端子４２が設けられた本体４０と、バックライト２０の光源２４を搭載する光源搭載部４８と、本体４０と光源搭載部４８を接続する接続部５０と、を含む形状で一枚の配線板から切り出されてなるフレキシブル配線基板３４を有する。本体４０は、液晶表示パネル１０の端部から引き出される。光源搭載部４８は、液晶表示パネル１０の裏面側に位置する。接続部５０は、本体４０が液晶表示パネル１０から引き出される方向に延びることなく、本体４０から液晶表示パネル１０の裏面側の方向に延び、液晶表示パネル１０の端部の下方を通って光源搭載部４８に接続し、本体４０から延びる方向に沿って形成されたスリット５４を有する。【選択図】図３
2014211576.tif 000002
【特許請求の範囲】
【請求項１】
液晶表示パネルと、
前記液晶表示パネルの裏面側に配置され、光源を備えたバックライトと、
前記液晶表示パネルの端部に電気的に接続される接続端子が設けられた本体と、前記光源を搭載する光源搭載部と、前記本体と前記光源搭載部を接続する接続部とが、一体に形成されたフレキシブル配線基板と、
を有し、
前記本体は、前記液晶表示パネルの前記端部から第１の方向に引き出され、
前記光源搭載部は、前記液晶表示パネルの前記裏面側に位置し、
前記接続部は、前記第１の方向に延びることなく、前記本体から前記液晶表示パネルの前記裏面側の方向に延び、前記液晶表示パネルの前記端部の下方を通って前記光源搭載部に接続し、前記本体から延びる方向に沿って形成されたスリットを有することを特徴とする液晶表示装置。
【請求項２】
請求項１に記載された液晶表示装置において、
前記接続部は、前記第１の方向と直交する方向に、前記本体と隣り合う位置にあることを特徴とする液晶表示装置。
【請求項３】
液晶表示パネルと、
前記液晶表示パネルの裏面側に配置され、光源を備えたバックライトと、
前記液晶表示パネルに電気的に接続される接続端子を端部に有する本体と、前記光源を搭載する光源搭載部と、前記本体と前記光源搭載部を接続する接続部と、を含む平面上に展開可能な形状のフレキシブル配線基板と、
を有し、
前記フレキシブル配線基板は、前記平面上に展開したときに、前記本体の前記端部と前記光源搭載部が間隔をあけて隣り合い、
前記接続部は、前記本体と前記光源搭載部の間の前記間隔の方向に沿って形成されたスリットを有し、
前記本体の前記端部は、前記液晶表示パネルの端部に接続され、
前記光源搭載部は、前記液晶表示パネルの前記裏面側に位置し、
前記接続部は、前記本体が前記液晶表示パネルから引き出される方向に延びることなく、前記本体から前記液晶表示パネルの前記裏面側の方向に延び、前記液晶表示パネルの前記端部の下方を通って前記光源搭載部に接続することを特徴とする液晶表示装置。
【請求項４】
請求項３に記載された液晶表示装置において、
前記接続部は、前記本体と前記光源搭載部の間の前記方向とは直交する方向に、前記本体と隣り合う位置にあることを特徴とする液晶表示装置。
【請求項５】
請求項１から４のいずれか１項に記載された液晶表示装置において、
前記フレキシブル配線基板の前記接続部は、前記スリットに隣接する部分が屈曲していることを特徴とする液晶表示装置。
【請求項６】
請求項１から５のいずれか１項に記載された液晶表示装置において、
前記フレキシブル配線基板は、第１面及び第２面を有する両面基板であり、
前記本体の前記第１面に前記接続端子が設けられ、
前記光源搭載部の前記第２面に前記光源が搭載され、
前記本体の前記第１面及び前記光源搭載部の前記第２面が、それぞれ、前記液晶表示パネルの前記端部に対向することを特徴とする液晶表示装置。
【請求項７】
請求項１から６のいずれか１項に記載された液晶表示装置において、
前記液晶表示パネルを支持するフレームを備え、
前記接続部の一部は、前記フレームに貼り付けられていることを特徴とする液晶表示装置。
【請求項８】
請求項１から６のいずれか１項に記載された液晶表示装置において、
前記液晶表示パネルを支持するフレームを備え、
前記光源搭載部の一部は、前記フレームに貼り付けられていることを特徴とする液晶表示装置。
【発明の詳細な説明】
【技術分野】
【０００１】
本発明は、液晶表示装置に関する。
【背景技術】
【０００２】
携帯電話機などの小型軽量の液晶表示装置では、薄型化が求められている。そのため、導光板と発光ダイオードを用いたサイドエッジ型のバックライトが主流となっている。液晶表示パネルにはフレキシブル配線基板が取り付けられており、そのフレキシブル配線基板には、発光ダイオードが搭載されている。この構造を開示したものとしては、例えば特許文献１を挙げることができる。
【先行技術文献】
【特許文献】
【０００３】
【特許文献１】特開２００９−２１６７５３号公報
【発明の概要】
【発明が解決しようとする課題】
【０００４】
特許文献１の構造では、フレキシブル配線基板は、液晶表示パネルに端部に接続される本体と、発光ダイオードが搭載されるＬＥＤ（Light Emitting Diode）搭載部と、ＬＥＤ搭載部を本体に接続する接続部と、を一体的に有している。発光ダイオードは、液晶表示パネルの裏面側に配置された導光板の端面に対向するように配置される。これに対応してＬＥＤ搭載部も液晶表示パネルの裏面側に配置される。そのため、接続部は、本体から液晶表示パネルの裏面の方向に屈曲しているが、接続部に設けられた配線を断線しないように、その屈曲は緩やかであることが望ましい。緩やかに屈曲させるために、接続部は、液晶表示パネルから離れる方向に本体から延びて折り返すように屈曲している。そのため、接続部が長くなるのでフレキシブル配線基板が大きくなってしまうという問題があった。
【０００５】
本発明は、フレキシブル配線基板を小さくすることを目的とする。
【課題を解決するための手段】
【０００６】
（１）本発明に係る液晶表示装置は、液晶表示パネルと、前記液晶表示パネルの裏面側に配置され、光源を備えたバックライトと、前記液晶表示パネルの端部に電気的に接続される接続端子が設けられた本体と、前記光源を搭載する光源搭載部と、前記本体と前記光源搭載部を接続する接続部とが、一体に形成されたフレキシブル配線基板と、を有し、前記本体は、前記液晶表示パネルの前記端部から第１の方向に引き出され、前記光源搭載部は、前記液晶表示パネルの前記裏面側に位置し、前記接続部は、前記第１の方向に延びることなく、前記本体から前記液晶表示パネルの前記裏面側の方向に延び、前記液晶表示パネルの前記端部の下方を通って前記光源搭載部に接続し、前記本体から延びる方向に沿って形成されたスリットを有することを特徴とする。本発明によれば、本体が液晶表示パネルから引き出される方向には、接続部が延びないので、フレキシブル配線基板を小さくすることができる。その場合、接続部が短くなるが、スリットが形成されることで屈曲しやすくなっているので、配線の断線を避けることができる。
【０００７】
（２）（１）に記載された液晶表示装置において、前記接続部は前記第１の方向と直交する方向に、前記本体と隣り合う位置にあることを特徴としてもよい。
【０００８】
（３）本発明に係る液晶表示装置は、液晶表示パネルと、前記液晶表示パネルの裏面側に配置され、光源を備えたバックライトと、前記液晶表示パネルに電気的に接続される接続端子を端部に有する本体と、前記光源を搭載する光源搭載部と、前記本体と前記光源搭載部を接続する接続部と、を含む平面上に展開可能な形状のフレキシブル配線基板と、を有し、前記フレキシブル配線基板は、前記平面上に展開したときに、前記本体の前記端部と前記光源搭載部が間隔をあけて隣り合い、前記接続部は、前記本体と前記光源搭載部の間の前記間隔の方向に沿って形成されたスリットを有し、前記本体の前記端部は、前記液晶表示パネルの端部に接続され、前記光源搭載部は、前記液晶表示パネルの前記裏面側に位置し、前記接続部は、前記本体が前記液晶表示パネルから引き出される方向に延びることなく、前記本体から前記液晶表示パネルの前記裏面側の方向に延び、前記液晶表示パネルの前記端部の下方を通って前記光源搭載部に接続することを特徴とする。本発明によれば、本体が液晶表示パネルから引き出される方向には、接続部が延びないので、フレキシブル配線基板を小さくすることができる。その場合、接続部が短くなるが、スリットが形成されることで屈曲しやすくなっているので、配線の断線を避けることができる。
【０００９】
（４）（３）に記載された液晶表示装置において、前記接続部は、前記本体と前記光源搭載部の間の前記方向とは直交する方向に、前記本体と隣り合う位置にあることを特徴としてもよい。
【００１０】
（５）（１）から（４）のいずれか１項に記載された液晶表示装置において、前記フレキシブル配線基板の前記接続部は、前記スリットに隣接する部分で屈曲していることを特徴としてもよい。
【００１１】
（６）（１）から（５）のいずれか１項に記載された液晶表示装置において、前記フレキシブル配線基板は、第１面及び第２面を有する両面基板であり、前記本体の前記第１面に前記接続端子が設けられ、前記光源搭載部の前記第２面に前記光源が搭載され、前記本体の前記第１面及び前記光源搭載部の前記第２面が、それぞれ、前記液晶表示パネルの前記端部に対向することを特徴としてもよい。
【図面の簡単な説明】
【００１２】
【図１】本発明を適用した実施形態に係る液晶表示装置の平面図である。
【図２】本発明を適用した実施形態に係る液晶表示装置の底面図である。
【図３】図１に示す液晶表示装置のIII−III線断面図である。
【図４】取り付けられる前のフレキシブル配線基板の第１面を示す図である。
【図５】接続部を示す拡大図である。
【図６】本発明の実施形態に係るフレキシブル配線基板の変形例を示す図である。
【発明を実施するための形態】
【００１３】
以下、本発明の実施形態について図面を参照して説明する。
【００１４】
図１は、本発明を適用した実施形態に係る液晶表示装置の平面図である。図２は、本発明を適用した実施形態に係る液晶表示装置の底面図である。図３は、図１に示す液晶表示装置のIII−III線断面図である。
【００１５】
液晶表示装置は、液晶表示パネル１０を有する。液晶表示パネル１０は、一対の基板１２，１４（いずれも例えばガラス基板）を有し、両者間には図示しない液晶が介在する。一方の基板１２は、図示しない薄膜トランジスタ、画素電極及び配線などを含むＴＦＴ（Thin Film Transistor）基板（又はアレイ基板）であり、他方の基板１４はカラーフィルタ基板である。
【００１６】
液晶表示パネル１０の一方の基板１２は、他方の基板１４から突出する突出部を有している。液晶表示パネル１０（詳しくは突出部）には、液晶を駆動するためのドライバ回路を内蔵する集積回路チップ１６が搭載されている。液晶表示パネル１０の一対の基板１２，１４の外側には、それぞれ、偏光板１８が貼り付けられている。
【００１７】
液晶表示装置は、エッジライト方式のバックライト２０を有する。バックライト２０は、液晶表示パネル１０の裏面側に配置されている。バックライト２０は、導光板２２を含む。導光板２２は、液晶表示パネル１０と重なるように配置される。導光板２２の表面は、液晶表示パネル１０の裏面に対向している。導光板２２は、液晶表示パネル１０の裏面側で液晶表示パネル１０の端部（突出する一方の基板１２の端部）の下方を避けて配置される。
【００１８】
バックライト２０は光源２４を有する。光源２４は、例えば発光ダイオードである。光源２４は、導光板２２に光を導入するための点光源である。点光源からの光が導光板２２で面光源に変換されて液晶表示パネル１０に照射される。複数の光源２４は、導光板２２の端面に対向するように一列に並んで配置される。
【００１９】
液晶表示パネル１０と導光板２２の間には、光学シート群２６が配置されている。光学シート群２６は、拡散シート及びプリズムシートなどを含む。また、導光板２２の下（光学シート群２６とは反対側）には反射シート２８が配置されている。
【００２０】
バックライト２０は、例えば樹脂からなるフレーム３０を含む。フレーム３０は、導光板２２を内側に収納している。フレーム３０に液晶表示パネル１０が取り付けられている。フレーム３０は、枠状の形状を有し、枠の内側のスペースを覆うように枠の一方の面に液晶表示パネル１０が支持されている。液晶表示パネル１０は、フレーム３０の該一方の面に、例えば両面テープなどで貼り付けてもよい。フレーム３０は、液晶表示パネル１０の裏面の周縁部に貼り付けられる。その貼り付けには、遮光性の両面テープ３２が使用されている。液晶表示パネル１０の端部を裏面側でフレーム３０が支持している。
【００２１】
液晶表示装置は、フレキシブル配線基板３４を有する。フレキシブル配線基板３４は、第１面３６及び第２面３８を有する両面基板である。つまり、フレキシブル配線基板３４の第１面３６及び第２面３８にはそれぞれ図示しない配線パターンが形成されている。
【００２２】
フレキシブル配線基板３４は、本体４０を含む。本体４０の端部は、液晶表示パネル１０の端部に接続されている。本体４０は、液晶表示パネル１０の端部から引き出されている。本体４０の第１面３６が液晶表示パネル１０の端部に対向する。
【００２３】
図４は、取り付けられる前のフレキシブル配線基板３４の第１面３６を示す図である。フレキシブル配線基板３４の本体４０には、液晶表示パネル１０の端部に電気的に接続される接続端子４２が設けられている。本体４０の第１面３６に接続端子４２が設けられている。接続端子４２は、本体４０の端部に設けられている。本体４０の第１面３６には、外部との電気的接続のための外部端子４４も形成されている。本体４０には、接続端子４２が形成された縁部とは反対側であって、外部端子４４が形成された縁部とは反対側に、切り欠き４６が形成されている。
【００２４】
フレキシブル配線基板３４は、バックライト２０の光源２４を搭載する光源搭載部４８を含む。光源搭載部４８は、液晶表示パネル１０の裏面側に位置している。光源搭載部４８は、液晶表示パネル１０の裏面側に位置する。光源搭載部４８の第２面３８に光源２４が搭載されている。光源搭載部４８の第２面３８が液晶表示パネル１０の端部に対向する。
【００２５】
フレキシブル配線基板３４は、本体４０と光源搭載部４８を接続する接続部５０を含む。接続部５０は、液晶表示パネル１０の端部の下方を通って光源搭載部４８に接続する。接続部５０の一部、或いは光源搭載部４８の一部は、図３に示すように、フレーム３０の下方を通るようになっており、両面テープ５２でフレーム３０に貼り付けられている。
【００２６】
接続部５０は、本体４０から液晶表示パネル１０の裏面側の方向（図２で右方向）に延びる。接続部５０は、本体４０が液晶表示パネル１０から引き出される方向（図２で左方向）には延びないようになっている。したがって、接続部５０は、長く引き出す必要がないので短くすることができる。
【００２７】
接続部５０は、本体４０が液晶表示パネル１０から引き出される方向（図２で左方向）とは直交する方向（図２で下方向）に、本体４０と隣り合う位置にある。換言すれば、接続部５０は、本体４０と光源搭載部４８の間の方向（図２で左右方向）とは直交する方向（図２で上下方向）に、本体４０と隣り合う位置にある。接続部５０は、切り欠き４６とは反対側に配置されている。
【００２８】
図５は、接続部５０を示す拡大図である。接続部５０は、本体４０から延びる方向に沿って形成されたスリット５４を有する。接続部５０は、本体４０と光源搭載部４８の間の間隔の方向に沿って形成されたスリット５４を有する。フレキシブル配線基板３４の接続部５０は、スリット５４に隣接する部分が屈曲している。スリット５４が形成されることで接続部５０は屈曲しやすくなっている。
【００２９】
フレキシブル配線基板３４は、本体４０、光源搭載部４８及び接続部５０を含む形状で一枚の配線板から切り出されてなる。したがって、フレキシブル配線基板３４は、平面上に展開可能な形状である。フレキシブル配線基板３４は、図４に示すように、平面上に展開したときに、本体４０の端部と光源搭載部４８が間隔をあけて隣り合う。
【００３０】
本実施形態によれば、本体４０が液晶表示パネル１０から引き出される方向には、接続部５０が延びないので、フレキシブル配線基板３４を小さくすることができる。その場合、接続部５０が短くなるが、スリット５４が形成されることで屈曲しやすくなっているので、配線の断線を避けることができる。
【００３１】
図６は、本発明の実施形態に係るフレキシブル配線基板の変形例を示す図である。上述した図４の例では、本体４０に切り欠き４６が形成されているが、図６の例では本体１４０に切り欠きが形成されていない。本体１４０はこのような形状であってもよい。
【００３２】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００３３】
１０  液晶表示パネル、１２  基板、１４  基板、１６  集積回路チップ、１８  偏光板、２０  バックライト、２２  導光板、２４  光源、２６  光学シート群、２８  反射シート、３０  フレーム、３２  両面テープ、３４  フレキシブル配線基板、３６  第１面、３８  第２面、４０  本体、４２  接続端子、４４  外部端子、４６  切り欠き、４８  光源搭載部、５０  接続部、５２  両面テープ、５４  スリット、１４０  本体。
【図１】
2014211576.tif 000003
【図２】
2014211576.tif 000004
【図３】
2014211576.tif 000005
【図４】
2014211576.tif 000006
【図５】
2014211576.tif 000007
【図６】
2014211576.tif 000008